(57)【要約】【課題】面ファスナーを有するフロアマットをカーペットに正確に張り付け、また簡単に剥がすことができると共に、人が多数集まり、又は通行する場所におけるフロアマット自体に意思伝達情報を表現して、広告として優れた訴求力や案内情報を表現する。【解決手段】ループパイル又はカットパイル状のカーペット５に、重ね敷きするフロアマット１であって、素材生地に広告情報や案内情報等の意思伝達情報Ａを表現した表面材２と、表面材２の裏面に貼り付けた、カーペット５に着脱自在に係着させるために、例えば合成繊維製のフック状の素材等から成る面ファスナー３と、表面材２の端縁に取り付けた着脱用芯材４と、を備えた。【選択図】図１
2007209507.tif 000002
【特許請求の範囲】
【請求項１】
ループパイル状又はカットパイル状などのカーペット（５）に、重ね敷きするフロアマット（１）であって、
素材生地に意思伝達情報（Ａ）を表現した表面材（２）と、
前記表面材（２）の裏面に貼り付けた、前記カーペット（５）に着脱自在に係着させる面ファスナー（３）と、
前記表面材（２）の端縁に取り付けた着脱用芯材（４）と、を備えた、ことを特徴とする意思伝達情報を表現したフロアマット。
【請求項２】
前記着脱用芯材（４）は、可撓性を有する細長い板状の部材である、ことを特徴とする請求項１の意思伝達情報を表現したフロアマット。
【請求項３】
前記着脱用芯材（４）を、略矩形状を有するフロアマット（１）の両端縁に２本取り付けた、ことを特徴とする請求項１又は２の意思伝達情報を表現したフロアマット。
【請求項４】
前記着脱用芯材（４）は、その横断面形状が前記フロアマット（１）の外周端縁の下方へ傾斜したものである、ことを特徴とする請求項２又は３の意思伝達情報を表現したフロアマット。
【請求項５】
前記フロアマット（１）の角部に、略三角形状の着脱用芯材（４）を取り付けた、ことを特徴とする請求項１の意思伝達情報を表現したフロアマット。
【請求項６】
前記意思伝達情報（Ａ）は、文字・図形による案内情報を表現したものである、ことを特徴とする請求項１の意思伝達情報を表現したフロアマット。
【請求項７】
前記意思伝達情報（Ａ）は、広告情報を表現したものである、ことを特徴とする請求項１の意思伝達情報を表現したフロアマット。
【請求項８】
前記意思伝達情報（Ａ）の広告情報は、前記フロアマット素材生地の繊維の根元まで着色して印写したものである、ことを特徴とする請求項７の意思伝達情報を表現したフロアマット。
【請求項９】
前記ループパイル状のカーペット（５）に重ね敷きするフロアマット（１）には、その表面材（２）の裏面に、かぎ状係合素子、フック状係合素子又はキノコ型係合素子を有する布製フック面ファスナー（３）を貼り付けた、ことを特徴とする請求項１の意思伝達情報を表現したフロアマット。
【請求項１０】
前記カットパイル状のカーペット（５）に重ね敷きするフロアマット（１）には、その表面材（２）の裏面に、幹部（ステム）が直立せずに、傾斜又は湾曲した形状のフック状係合素子を有する布製フック面ファスナー（３）を貼り付けた、ことを特徴とする請求項１の意思伝達情報を表現したフロアマット。
【請求項１１】
前記カットパイル状のカーペット（５）に重ね敷きするフロアマット（１）には、その表面材（２）の裏面に、幹部（ステム）の長さが４ｍｍ〜６ｍｍのキノコ型係合素子を有する布製フック面ファスナー（３）を貼り付けた、ことを特徴とする請求項１の意思伝達情報を表現したフロアマット。
【請求項１２】
面ファスナー（３）を裏面に備え、その端縁に着脱用芯材（４）を取り付けたフロアマット（１）を、ループパイル状又はカットパイル状などのカーペット（５）に、張り付けるフロアマットの着脱方法であって、
先ず、前記着脱用芯材（４）を取り付けたフロアマット（１）の端縁部分（１ａ）の面ファスナー（３）をカーペット（５）に張り付け、
次に、該フロアマット（１）の他端縁部分（１ｂ）を、該フロアマット（１）を張り付ける方向の斜め上方へ引っ張りながら徐々に面ファスナー（３）をカーペット（５）に張り付け、
最後に、フロアマット（１）の面ファスナー（３）全体をカーペット（５）に張り付ける、ことを特徴とするフロアマットの着脱方法。
【請求項１３】
張り付けたフロアマット（１）のずれを調整する際に、
カーペット（５）に張り付けたフロアマット（１）の端縁部分（１ａ）の着脱用芯材（４）を持ち上げるようにして、その部分の面ファスナー（３）をカーペット（５）から離脱させる、ことを特徴とする請求項１２のフロアマットの着脱方法。
【請求項１４】
フロアマット（１）をカーペット（５）から剥がす際に、
先ず、カーペット（５）に張り付けたフロアマット（１）の端縁部分（１ａ）の着脱用芯材（４）を持ち上げるようにして、その部分の面ファスナー（３）をカーペット（５）から離脱させ、
次に、この着脱用芯材（４）を持ち上げるようにしてフロアマット（１）全体を引っ張るようにして剥がす、ことを特徴とする請求項１２のフロアマットの着脱方法。
【発明の詳細な説明】
【技術分野】
【０００１】
本発明は、展示会場、店舗、ホテル、病院、映画館のロビー、廊下等の公共の場所に敷かれるフロアマットに係り、特に裏面に面ファスナーを備えてカーペットに重ね敷きできると共に、表面に広告情報等を化体して宣伝媒体としても機能する意思伝達情報を表現したフロアマット及びこの着脱方法に関するものである。
【背景技術】
【０００２】
展示会場、店舗、ホテル、病院、映画館のロビーの出入口には、その床全面に敷き詰められたカーペットとは別に、ピース状のフロアマットを重ね敷きすることがある。このピース状のフロアマットは、入館者、通行者等の靴底の泥落としを目的とする場合、又は道先案内を目的とする場合がある。このフロアマットは、カットパイルやループパイルを有するカーペット面に対して滑らないように、フロアマットの裏面に合成ゴム等による滑り止め処理を施したものが提案されている。あるいは、フロアマットの裏面に多孔質シートを固定させたものが提案されている。
【０００３】
更に、フロアマットがカーペット上を滑らないようにするための技術が種々提案されている。例えば、特許文献１の特開平５−２６９００５号公報「フロアマット移動防止用面ファスナー」に示すように、先端部が鉤状、鏃状またはマッシュルーム状に形成されている係合素子を基材の一方の面に対して略直立状に植設した面ファスナーと、該面ファスナーにおける基材の他方の面の最上層をなすようにして積層されている再剥離性層とを有するフロアマット移動防止用面ファスナーが提案されている。この特許文献１は、カットパイルやループパイルを有するカーペットの表面と別製のピース状のフロアマットの裏面とを十分な係止力で係止させるフロアマット移動防止用面ファスナーで、しかも、フロアマット移動防止用面ファスナーの表面に対してフロアマットの裏面が着脱自在に係止されるフロアマット移動防止作用を有するものである。
【特許文献１】特開平５−２６９００５号公報
【発明の開示】
【発明が解決しようとする課題】
【０００４】
この特許文献１のフロアマット移動防止用面ファスナーは、フロアマットがカーペット上を滑らないようにするという点では優れた効果を発揮する。しかし、フロアマットをカーペットに敷く際、そのフロアマットを交換する際、又は位置をずらす際に、その面ファスナーの係着力が強すぎるために、最初にフロアマットの端縁をきれいにカーペットに張り付けないと、フロアマット全体を平坦に張り付けることができなかった。その後、そのフロアマットをカーペットから剥がすときにも多大な労力と時間を要するという問題を有していた。
【０００５】
また、面ファスナーとカーペット面との係着力が強すぎると、フロアマットをカーペットから剥がすときに、フロアマット本体から面ファスナー部分が分離して、フロアマットを破損することがある。
【０００６】
一方、本発明の発明者らは、展示会場、店舗、ホテル、病院、映画館のロビーにおいて、その床面に広い空間が存在しており、この広い床面自体を広告媒体として利用できることに着目した。しかし、上述したように、面ファスナー付きのフロアマットでは、カーペットに重ね敷きする際、この敷いたものを交換する際に、多大な労力と時間を要するという問題を有していた。
【０００７】
本発明は、上述した問題点を解決するために創案されたものである。すなわち本発明の目的は、面ファスナーを有するフロアマットをカーペットに正確に張り付け、また簡単に剥がすことができると共に、人が多数集まり、又は通行する場所におけるフロアマット自体に意思伝達情報を表現して、広告として優れた訴求力や案内情報を表現することができる意思伝達情報を表現したフロアマット及びこの着脱方法を提供することにある。
【課題を解決するための手段】
【０００８】
本発明のフロアマットによれば、ループパイル状又はカットパイル状などのカーペット（５）に、重ね敷きするフロアマット（１）であって、素材生地に意思伝達情報（Ａ）を表現した表面材（２）と、前記表面材（２）の裏面に貼り付けた、前記カーペット（５）に着脱自在に係着させる面ファスナー（３）と、から成るフロアマット（１）であり、前記表面材（２）の端縁に取り付けた着脱用芯材（４）と、を備えた、ことを特徴とする意思伝達情報を表現したフロアマットが提供される。
【０００９】
前記着脱用芯材（４）は、可撓性を有する細長い板状の部材が好ましい。
前記着脱用芯材（４）を、略矩形状を有するフロアマット（１）の両端縁に２本取り付けることができる。
前記着脱用芯材（４）は、その横断面形状が前記フロアマット（１）の周端縁外方へ傾斜したものが好ましい。
前記フロアマット（１）の角部に、略三角形状の着脱用芯材（４）を取り付けることができる。
【００１０】
前記意思伝達情報（Ａ）は、文字・図形による案内情報を表現したものである。
前記意思伝達情報（Ａ）は、広告情報を表現したものである。
前記意思伝達情報（Ａ）の広告情報は、前記フロアマット素材生地の繊維の根元まで着色して印写することが好ましい。
【００１１】
前記ループパイル状のカーペット（５）に重ね敷きするフロアマット（１）には、その表面材（２）の裏面に、かぎ状係合素子、フック状係合素子又はキノコ型係合素子を有する布製フック面ファスナー（３）を貼り付けることが好ましい。
前記カットパイル状のカーペット（５）に重ね敷きするフロアマット（１）には、その表面材（２）の裏面に、幹部（ステム）が直立せずに、傾斜又は湾曲した形状のフック状係合素子を有する布製フック面ファスナー（３）を貼り付けることが好ましい。
前記カットパイル状のカーペット（５）に重ね敷きするフロアマット（１）には、その表面材（２）の裏面に、幹部（ステム）の長さが４ｍｍ〜６ｍｍのキノコ型係合素子を有する布製フック面ファスナー（３）を貼り付けることが好ましい。
【００１２】
本発明の着脱方法によれば、面ファスナー（３）を裏面に備え、その端縁に着脱用芯材（４）を取り付けたフロアマット（１）を、ループパイル状又はカットパイル状などのカーペット（５）に、張り付ける方法であって、先ず、前記着脱用芯材（４）を取り付けたフロアマット（１）の端縁部分（１ａ）の面ファスナー（３）をカーペット（５）に張り付け、次に、該フロアマット（１）の他端縁部分（１ｂ）を、該フロアマット（１）を張り付ける方向の斜め上方へ引っ張りながら徐々に面ファスナー（３）をカーペット（５）に張り付け、最後に、フロアマット（１）の面ファスナー（３）全体をカーペット（５）に張り付ける、ことを特徴とするフロアマットの着脱方法が提供される。
【００１３】
張り付けたフロアマット（１）のずれを調整する際に、カーペット（５）に張り付けたフロアマット（１）の端縁部分（１ａ）の着脱用芯材（４）を持ち上げるようにして、その部分の面ファスナー（３）をカーペット（５）から離脱させることができる。
フロアマット（１）をカーペット（５）から剥がす際に、先ず、カーペット（５）に張り付けたフロアマット（１）の端縁部分（１ａ）の着脱用芯材（４）を持ち上げるようにして、その部分の面ファスナー（３）をカーペット（５）から離脱させ、次に、この着脱用芯材（４）を持ち上げるようにしてフロアマット（１）全体を引っ張りようにして剥がすことができる。
【発明の効果】
【００１４】
本発明の構成では、フロアマット（１）をカーペット（５）に重ね敷きする際に、このフロアマット（表面材）（１）の一端縁に取り付けた着脱用芯材（４）部分をカーペット（５）に張り付け、他端縁を引っ張りながら面ファスナー（３）をカーペット（５）に徐々に係着させて全体を敷いていけば、シワが生じることなくきれいにフロアマット（１）をカーペット（５）に敷くことができる。
このフロアマット（１）を交換するとき又は位置をずらすときには、着脱用芯材（４）を持ち上げてカーペット（５）から面ファスナー（３）の一部を剥がす。このようにフロアマット（１）の一端縁が剥がれると、その面ファスナー（３）の係着力が強くても、残り部分も容易に剥がすことができる。
【００１５】
フロアマット（１）の表面材（２）の素材生地に意思伝達情報（Ａ）を表現し得る構造であるため、例えばフロアマット（１）自体に宣伝広告機能を付与することにより、展示会場、店舗、ホテル、病院、映画館のロビー内において、そのフロアマット（１）に表現された意思伝達情報（Ａ）を多数の通行者、入館者が見る状況を作り、情報提供の効果を高めることができる。上述したように、フロアマット（１）に着脱用芯材（４）を取り付けているので、屋内広告といった所定期間の宣伝広告が終了したら別の意思伝達情報（Ａ）を印写した表面材（２）に短時間に交換することができる。
【００１６】
更に、素材生地に着色剤をインクジェット方式で意思伝達情報（Ａ）を印写した表面材（２）では、繊維の根元まで着色してあるために意思伝達情報（Ａ）を鮮明に表現するこができる。しかも、本発明のフロアマット（１）は、長年使用して通行人の靴で踏まれて、その表面材（２）が磨耗や汚れ、また印写された個々の繊維が倒れた状態になっても、表現内容の意思伝達効果は低下しにくい。
【００１７】
本発明では、カーペット（５）の表面繊維が直立状態（カットパイル状）又はループ状態の構造に応じて、係合素子がこのカーペット（５）の表面繊維層に侵入しやすく、繊維間で係合しやすい形状の面ファスナー（３）を使い分けることにより、その面ファスナー（３）の係着力を高めることができる。
【００１８】
本発明の着脱方法では、フロアマット（１）の端縁部分（１ａ）の面ファスナー（３）をカーペット（５）に張り付ける際に、着脱用芯材（４）により直線状に面ファスナー（３）をカーペット（５）に張り付けることができるので、フロアマット（１）が歪むことなく張り付けることができる。特に、最初に張り付けるフロアマット（１）の端縁部分（１ａ）が歪んでなければ、フロアマット（１）全体をカーペット（５）にきれいに張り付けることができる。
【発明を実施するための最良の形態】
【００１９】
本発明は、人が多数集まり、又は通行する場所におけるフロアマット自体に広告や案内のような意思伝達情報を表現し、このフロアマットをカーペットに重ね敷きしてもずれないように面ファスナーを貼り付けたものである。このフロアマットには、着脱用芯材を備えているので、カーペットにきれいに重ね敷きでき、またカーペットから簡単に剥がすことができる。
【実施例１】
【００２０】
以下、本発明の好ましい実施の形態を図面を参照して説明する。
図１は本発明の実施例１の意思伝達情報を有するフロアマットの平面図である。図２は  図１のＩＩ−ＩＩ線より切断したフロアマットの断面図である。
実施例１の意思伝達情報を有するフロアマット１は、その素材生地に意思伝達情報Ａを表現した表面材２の裏面に面ファスナー３を貼り付けたピース状マットである。このフロアマット１の端縁に可撓性を有する着脱用芯材４を取り付けている。なお、この図２、図３、図４及び図６の断面図では、部材の位置関係が明確になるように、実際の状態より部材の間隔を開けて表現している。
【００２１】
表面材２には、広告情報のような意思伝達情報Ａを表現している。図示例では、意思伝達情報Ａについてその一例を「ＡＢＣＤ」としているが、この内容に限定されないことは勿論である。意思伝達情報Ａには文字のみに限らず広告として機能するものであれば、図形や記号等が含まれる。フロアマット１の表面材２の素材生地に意思伝達情報Ａを表現したので、例えばフロアマット１自体に宣伝広告機能を付与したものを、展示会場、店舗、ホテル、病院、映画館のロビー内のカーペット５に重ね敷きする。そのフロアマット１に表現された意思伝達情報Ａについて、多数の通行者、入館者が見る状況が形成され、情報提供の効果が高い。このフロアマット１の表面材２の素材としては、例えばモケットを用いることができるが、その種類はこのモケットには限定されない。
【００２２】
本発明の表面材２には、素材生地に着色剤をインクジェット方式で各種の意思伝達情報Ａを印写する。この表面材２に意思伝達情報Ａを形成する手段は、このインクジェット方式の印写に限定されない。但し、長年使用してその表面が磨耗や汚れても、意思伝達効果は低下せず、鮮明な意思伝達効果を維持できるように、繊維の根元まで着色してあることが望ましい。
【００２３】
面ファスナー３は、ループパイル状又はカットパイル状のカーペット５に着脱自在に係着させるものである。この面ファスナー３は、フロアマット１をカーペット５上に重ね敷きしたときに、その係着力によりフロアマット１のずれを防止するものである。この面ファスナー３は、例えば合成繊維製のフック状の素材から成り、カーペット５に容易に係止させると共に、両者を離脱させるときは所定以上の力が必要になるという部材である。
なお、フック形状以外にキノコ形状から成り、カットパイルやループパイルを有するカーペット５のパイルとの間の係着力が生じ、このカーペット５の上に、フロアマット１を重ねて敷く際に、カーペット５とフロアマット１とを着脱自在に係止させ得るものでもよい。面ファスナー３の形状は、係着力を有する形状のものであれば何れ構造の面ファスナー３でも用いることができる。なお、面ファスナー３はフロアマット１裏面の全面に貼り付ける必要はなく、縁取りのようにフロアマット１裏面の周辺のみに貼り付けることも可能である。
【００２４】
本発明のフロアマット１は、カットパイル状又はループパイル状のカーペット５に適している。カットパイルとループパイルは、カーペット５の表面繊維が直立状態かループ状態かで大きく異なる。このような構造のカーペット５に効率よく係合するフック面ファスナー３を、本発明のフロアマット１の裏面に貼り付ける。ループパイル状のカーペット５に対しては、広く市販されているフック面ファスナー１が有効に使用される。このフック面ファスナー３は、かぎ状係合素子、フック状係合素子、キノコ型係合素子を有する布製フック面ファスナー、および同様なフック状係合素子を有する成形フック面ファスナーが含まれる。使用される面ファスナー３のフック状係合素子のサイズ、密度などはカーペット５の構造や係合強度などを考慮して適宜に設定される。同一の素子密度においては、キノコ型係合素子を持つフック面ファスナー３がより高い係合強力を示す。
【００２５】
カットパイル状のカーペット５は、表面繊維にループがないために、フック面ファスナーとの係合が難しい面がある。このようなカーペット５に対しては、フック状係合素子のステム（幹部）が４〜６ｍｍ程度に長いキノコ型係合素子をもつフック面ファスナーが好適に使用される。更に好ましいフック面ファスナーとしては、キノコ型係合素子のステムが直立せずに、傾斜又は湾曲した形状のフック状係合素子であり、この素子はカーペット５の表面繊維層に侵入しやすく、繊維間で係合しやすい性能を有する。上記したフック面ファスナー３は基布に長いキノコ型係合素子を立設した布製フック面ファスナーが好適に使用できるが、成形フック面ファスナーも使用できる。かぎ状係合素子又はフック状係合素子は係合すべきループ素子がないので、カットパイル状のカーペット５に対しては好ましくない。
【００２６】
本発明のフロアマット１は、上記したループパイル状のカーペット５又はカットパイル状のカーペット５にそれぞれ対応するフック面ファスナー３を貼り付けたものを別々に用意し、提供することが望ましい。また、キノコ型係合素子をもつフック面ファスナーとして、この素子のサイズ、密度を調整して、２種のカーペットに適応することも可能である。
【００２７】
本発明のフロアマット１に貼り付ける面ファスナー３は、上記したフック面ファスナーに限らず、ループ面ファスナーを貼り付けることも可能である。但し、フロアマット１にループ面ファスナー３を貼り付けると、カーペット側に更にフック面ファスナーを設置する必要がある。
【００２８】
但し、いわゆるタイルカーペットに本発明のフロアマット１を敷くときは、上記面ファスナー３の係着力は、通常の床に固定したカーペットに敷く本発明のフロアマット１に用いるものより弱くする。タイルカーペットは例えば５０ｃｍ×５０ｃｍの正方形状のカーペット片の裏面に粘着剤を塗布したものである。このタイルカーペットは床面に着脱自在に敷き詰めたものであるため、本発明の面ファスナー３の係着力が強すぎるとは、本発明のフロアマット１はこのタイルカーペットと共に剥がしやすくなる。そこで、面ファスナー３の係着力を弱くすることが好ましい。例えば、表面材２の裏面に面ファスナー３を部分的に貼り付ける。
【００２９】
図３は本発明のフロアマットをカーペットに張り付ける状態の説明断面図であり、（ａ）は敷き始めの状態、（ｂ）はフロアマットの端縁部分を敷いている状態、（ｃ）は敷き終わった態際である。
着脱用芯材４は、合成樹脂製又は金属製の可撓性を有する細長い板状の部材から成り、フロアマット１をカーペット５に重ね敷きする際に使用するものである。また、カーペット５からフロアマット１を剥がす際に使用するものである。フロアマット１をカーペット５に重ね敷きする際に、先ず、この着脱用芯材４を取り付けたフロアマット（表面材）１の端縁部分１ａの面ファスナー３をカーペット５に張り付ける（図３（ａ））。次に、このフロアマット１の他端縁部分１ｂを、このフロアマット１を張り付ける方向の斜め上方（矢視線）へ手で引っ張りながら徐々に面ファスナー３をカーペット５に張り付ける（図３（ｂ））。最後にフロアマット１の面ファスナー３全体をカーペット５に張り付けて作業が完了する（図３（ｃ））。このように、端縁部分１ａの面ファスナー３部分をカーペット５に係着させながら全体を敷いていけば、シワが生じることなくきれいにフロアマット１をカーペット５に敷くことができる。
【００３０】
図４はフロアマットをカーペットから剥がす状態の説明断面図であり、（ａ）は剥がす前の状態、（ｂ）は着脱用芯材を持ち上げている状態、（ｃ）はフロアマット全体を剥がしている状態である。
このフロアマット１を交換するとき又は位置をずらすためにカーペット５から剥がすときには、着脱用芯材４を持ち上げてカーペット５から面ファスナー３の一部を剥がす。このようにフロアマット１の一端縁１ａが剥がれると、この着脱用芯材４を持ち上げるようにしてフロアマット１全体を引っ張りようにして剥がす。その面ファスナー３の係着力が強くても、残り部分も容易に剥がすことができる。この着脱用芯材４があると、従来のようにカーペット５からフロアマット１を剥がす際に、面ファスナー３と表面材２とが分離して破損することがない。
【００３１】
このように、本発明の意思伝達情報を有するフロアマット１は、カーペット５にきれいに張り付けると共に、簡単に剥がすといった着脱を迅速に行うことができるので、所定期間の宣伝広告が済んだら別の意思伝達情報Ａを表現したフロアマット１に短時間で交換することができる。そこで、入館者や通行人誌に対して意思伝達情報Ａを鮮明に印象づけることができる。
【実施例２】
【００３２】
図５は本発明の実施例２の２本の着脱用芯材を取り付けたフロアマットの平面図である。
フロアマット１に取り付ける着脱用芯材４は、必ずしも１本にする必要はなく、実施例２のように、着脱用芯材４を略矩形状を有するフロアマット１の両端縁に２本取り付けたものでもよい。このように、２本の着脱用芯材４を備えることで、フロアマット１のカーペット５への着脱を更に容易かつきれいに実施することができる。
【実施例３】
【００３３】
図６は本発明の実施例３の着脱用芯材を取り付けたフロアマットであり、（ａ）は部分断面図、（ｂ）は拡大断面図である。
実施例３の着脱用芯材４は、その横断面形状が外周端縁の下方へ傾斜したものである。このよう横断面形状が外周端縁の下方へ傾斜した着脱用芯材４では、フロアマット１の周囲に人の靴がぶつかったときに、着脱用芯材４によってつまずくことがなくなる。逆に、このような形状の着脱用芯材４では、着脱用芯材４部分を踏み付けるようになるので、面ファスナー３とカーペット５との係着力を更に強固にすることができる。
【実施例４】
【００３４】
図７は本発明の実施例４の着脱用芯材４の変形例を示すフロアマットの平面図である。図８は本発明の実施例４の変形例を示すフロアマットの平面図である。
着脱用芯材４は、必ずしも細長い長方形状である必要はなく、実施例４のように、着脱用芯材４の両端を略コ字形状に曲折したものでもよい。このように略コ字形状に曲折した着脱用芯材４を用いることにより、フロアマット１の両端部をカーペット５にきれいに張り付けることができる。この曲折部分は一体成型品に限らず、部品を組み合わせたものでもよい。
なお、着脱用芯材４は略コ字形状に曲折する以外に、図８に示すように、フロアマット１の外周形状に合わせて、その両端を曲線状に曲折することも可能である。このような形状の着脱用芯材４を用いることで、曲線形状のフロアマット１の端部のカーペット５へ容易に張り付けることができる。
【実施例５】
【００３５】
図９は実施例５の意思伝達情報として案内情報を表現したフロアマットの平面図である。
実施例５では、表面材２に意思伝達情報Ａとして広告情報に代えて文字又は図形による「矢印」のような案内情報を表現した。本発明のフロアマット１の表面材２に表現した意思伝達情報Ａは、実施例１のように広告情報に限定されない。この意思伝達情報Ａを多数の通行者、入館者が見る機会が多いので、展示会場のような広い会場では道先案内として利用することができる。
【実施例６】
【００３６】
図１０は１単位の意思伝達情報を複数枚のフロアマットを並列させた状態で表現するようにした実施例６のフロアマットの平面図である。
本発明の意思伝達情報を有するフロアマット１は必ずしも、１枚のフロアマットに１単位の意思伝達情報Ａを表現する必要はなく、実施例６のように複数枚のフロアマット１を並列させた状態で、１単位の意思伝達情報Ａを表現することができる。例えば、図示例のように、左側のフロアマット１に「ＡＢ」部分の意思伝達情報Ａを表現し、右側のフロアマット１に「ＣＤ」部分の意思伝達情報Ａを表現し、両者を合わせて１単位の「ＡＢＣＤ」という意思伝達情報Ａを表現することも可能である。
【００３７】
このように、フロアマット１の表面材２に表現する意思伝達情報Ａの宣伝広告の内容は、複数又は広い面積を十分に利用して、商品広告、サービス広告、イベント広告、社名広告又は案内情報に限らず、色彩感覚に優れた図柄によって美的雰囲気やイメージの醸成を図ることもできる。そこで、訴求力の高い宣伝効果を上げることができる。
【実施例７】
【００３８】
図１１は実施例７の略三角形状の着脱用芯材を備えたフロアマットの平面図である。
実施例７では、細長い板状の部材の着脱用芯材４に代えて、フロアマット１の角部に、略三角形状の着脱用芯材４を取り付けた。フロアマット１の周縁に硬い素材から成る着脱用芯材４を備えることで、フロアマット１をカーペット５へ容易に取り付け、又は容易に剥がせる。そこで、本発明の着脱用芯材４は必ずしも細長い板状の部材に限定されない。なお、図示例では、４隅に略三角形状の着脱用芯材４を備えた状態を示しているが、必ずしも４箇所に備える必要はない。
【実施例８】
【００３９】
図１２は実施例８の着脱用芯材に略三角形状と細長い板状の部材とを組み合わせたフロアマットの平面図である。
実施例８では、細長い板状の部材の着脱用芯材４と、フロアマット１の角部に、略三角形状の着脱用芯材４とを組み合わせて取り付けた。このようにフロアマット１の周縁に硬い素材から成る着脱用芯材４を備えることで、フロアマット１をカーペット５へ容易に取り付け、及び容易に剥がすことができる。
【００４０】
なお、本発明は、重ね敷きした面ファスナー３を有するフロアマット１をカーペット５に正確に張り付け、また簡単に剥がすことができると共に、人が多数集まり、又は通行する場所におけるフロアマット１自体に意思伝達情報を表現して、広告として優れた訴求力や案内情報を表現することができれば、上述した発明の実施の形態に限定されないことは勿論である。
【産業上の利用可能性】
【００４１】
本発明の意思伝達情報を有するフロアマットは、展示会場、店舗、ホテル、病院、映画館のロビー、廊下等の公共の場所にカーペットに重ね敷きできるだけでなく、自動車、鉄道車両やバス等、航空機、船舶等の乗り物の床面のカーペットに敷くとができる。
【図面の簡単な説明】
【００４２】
【図１】本発明の実施例１の意思伝達情報を有するフロアマットの平面図である。
【図２】図１のＩＩ−ＩＩ線より切断したフロアマットの断面図である。
【図３】本発明のフロアマットをカーペットに張り付ける状態の説明断面図であり、（ａ）は敷き始めの状態、（ｂ）はフロアマットの端縁部分を敷いている状態、（ｃ）は敷き終わった態際である。
【図４】フロアマットをカーペットから剥がす状態の拡大説明断面図であり、（ａ）は剥がす前の状態、（ｂ）は着脱用芯材を持ち上げている状態、（ｃ）はフロアマット全体を剥がしている状態である。
【図５】実施例２の２本の着脱用芯材を取り付けたフロアマットの平面図である。
【図６】実施例３の着脱用芯材を取り付けたフロアマットであり、（ａ）は部分断面図、（ｂ）は拡大断面図である。
【図７】実施例４の略コ字形状の着脱用芯材の変形例を示すフロアマットの平面図である。
【図８】実施例４の変形例を示すフロアマットの平面図である。
【図９】実施例５の意思伝達情報として案内情報を表現したフロアマットの平面図である。
【図１０】１単位の意思伝達情報を複数枚のフロアマットを並列させた状態で表現するようにした実施例３のフロアマットの平面図である。
【図１１】実施例７の略三角形状の着脱用芯材を備えたフロアマットの平面図である。
【図１２】実施例８の着脱用芯材に略三角形状と細長い板状の部材とを組み合わせたフロアマットの平面図である。
【符号の説明】
【００４３】
１  フロアマット
２  表面材
３  面ファスナー
４  着脱用芯材
５  カーペット
Ａ  意思伝達情報
【図１】
2007209507.tif 000003
【図２】
2007209507.tif 000004
【図３】
2007209507.tif 000005
【図４】
2007209507.tif 000006
【図５】
2007209507.tif 000007
【図６】
2007209507.tif 000008
【図７】
2007209507.tif 000009
【図８】
2007209507.tif 000010
【図９】
2007209507.tif 000011
【図１０】
2007209507.tif 000012
【図１１】
2007209507.tif 000013
【図１２】
2007209507.tif 000014